(57)【特許請求の範囲】
【請求項１】
住戸玄関或いは集合住宅のエントランスに設置されて居住者を呼び出すためのインターホン子機と、居室に設置されて前記インターホン子機から呼び出しを受けて応答するためのインターホン親機とを有するインターホンシステムであって、
前記インターホン親機とＤＥＣＴ通信することで前記インターホン子機からの呼び出しに応答する機能を備えた無線親機を備えると共に、前記インターホン親機は前記無線親機とＤＥＣＴ通信を実施する無線通信部を有し、
前記無線通信部には、主偏波が異なる偏波面となる複数のアンテナが接続されると共に、
前記インターホン親機は、前記複数のアンテナそれぞれの受信電力の大きさを比較し、最も受信電力が小さいアンテナを選択するアンテナ選択手段を有し、
前記無線通信部は、前記アンテナ選択手段が選択したアンテナを使用して前記無線親機との通信を実施することを特徴とするインターホンシステム。
【請求項２】
前記アンテナ選択手段は、前記アンテナが自営ＰＨＳ制御信号を受信する場合には、自営ＰＨＳ信号の受信電力が最も小さいアンテナを選択することを特徴とする請求項１記載のインターホンシステム。
【請求項３】
前記アンテナ選択手段は、前記アンテナが自営ＰＨＳ制御信号を受信しない場合は、受信したＤＥＣＴ信号の受信電力が最も小さいアンテナを選択することを特徴とする請求項１記載のインターホンシステム。
【請求項４】
前記アンテナ選択手段は、前記複数のアンテナそれぞれの受信電力の大きさを比較するアンテナ選択シーケンスを定期的に実施し、使用するアンテナをその都度選択することをを特徴とする請求項１乃至３の何れかに記載のインターホンシステム。
【発明の詳細な説明】
【技術分野】
【０００１】
本発明は、インターホン子機からの呼び出しを受けて、インターホン親機に加えて携行可能な無線親機により応答できるインターホンシステムに関する。
【背景技術】
【０００２】
ＤＥＣＴ規格に基づく信号により通信（ＤＥＣＴ通信）するコードレスの電話機やインターホン機器がある。ＤＥＣＴ通信は、これまでの２．４ＧＨｚ帯を使用したコードレス機器に比べて混雑が無くきれいな通信が見込めるし、通信速度が速いため画像の伝送も従来よりスムーズに行うことができ、このようなコードレス機器は更なる普及が見込まれている。
一方で、ＤＥＣＴ通信では、使用できる周波数は元々は５チャンネルあるが、自営ＰＨＳ制御信号が一定レベルを超えて検出される環境で使用される場合には、ＰＨＳ信号保護のために２チャンネルに制限された。また、ある一定レベルを超えてＤＥＣＴ信号が検出される環境では、そのスロットを使用できないというキャリアセンスを有している。
そのため、例えば特許文献１では、電波の有無で判別するのではなく、自営ＰＨＳ制御信号を識別する機能を備えることで、スロットタイミングの調整等でチャンネル数の減少を防ぎ周波数利用効率を高めた。
【先行技術文献】
【特許文献】
【０００３】
【特許文献１】特開２０１１−０７７９８６号公報
【発明の概要】
【発明が解決しようとする課題】
【０００４】
上述したように、ＤＥＣＴ通信には各種制限が設けられているため、上記特許文献１のようにチャンネル数の減少を防ぐ工夫が必要となるが、ＤＥＣＴ通信を行う機器が周囲に存在する場合はＰＨＳ信号の保護に加えてそれらの機器との干渉の問題も発生する。特に、集合住宅などの隣接する住戸が接近し、且つ同一機種のインターホン機器が各住戸に設置されているような環境では、インターホン親機間の電波干渉即ちＤＥＣＴ通信の干渉が発生し、その解決策が求められている。
【０００５】
図３は、集合住宅での干渉発生を説明する図であり、Ｒは住戸、４１は居室に設置されたインターホン親機、４２はインターホン親機と無線通信する無線親機を示している。また、Ｅはインターホン親機４１が無線親機４２と通信を可能とするエリアを示している。
図３に示すように、集合住宅では隣接する住戸のインターホン親機同士で干渉が発生し易いし、この左右に加えて上下の住戸間でも干渉が発生する場合がある。
【０００６】
また、インターホンシステムでは、インターホン子機に来訪者を撮像するためのカメラが備えられている場合が多く、その場合カメラの映像信号も伝送され、インターホン親機から双方向の音声信号だけでなく無線親機に対して片方向の映像信号も送信される。そのため、インターホン親機の送信比率が高く、チャンネル数の減少を防ぐ工夫が更に必要となる。
【０００７】
そこで、本発明はこのような問題点に鑑み、インターホン親機と無線親機との間でＤＥＣＴ通信を実施する際に、周囲の無線機器に対する電波干渉を最小限に留めることができ、且つ通信チャンネル数を確保できるインターホンシステムを提供することを目的としている。
【課題を解決するための手段】
【０００８】
上記課題を解決する為に、請求項１の発明は、住戸玄関或いは集合住宅のエントランスに設置されて居住者を呼び出すためのインターホン子機と、居室に設置されてインターホン子機から呼び出しを受けて応答するためのインターホン親機とを有するインターホンシステムであって、インターホン親機とＤＥＣＴ通信することでインターホン子機からの呼び出しに応答する機能を備えた無線親機を備えると共に、インターホン親機は無線親機とＤＥＣＴ通信を実施する無線通信部を有し、無線通信部には、主偏波が異なる偏波面となる複数のアンテナが接続されると共に、インターホン親機は、複数のアンテナそれぞれの受信電力の大きさを比較し、最も受信電力が小さいアンテナを選択するアンテナ選択手段を有し、無線通信部は、アンテナ選択手段が選択したアンテナを使用して無線親機との通信を実施することを特徴とする。
この構成によれば、外部電波の受信レベルが低いアンテナを選択して無線親機との通信に使用するため、無線親機と通信を実施しても周囲の無線機器との電波干渉を最小限に留めることができるし、無線親機との間で通信不能となる状態を削減できる。また、受信レベルの低いアンテナを選択することで、通信チャンネル数の減少を最小限に留めることができるし、送信レベル自体も抑制でき外部無線機器への影響も削減できる。
【０００９】
請求項２の発明は、請求項１に記載の構成において、アンテナ選択手段は、アンテナが自営ＰＨＳ制御信号を受信する場合には、自営ＰＨＳ信号の受信電力が最も小さいアンテナを選択することを特徴とする。
この構成によれば、自営ＰＨＳ信号を使用する機器が周囲にあっても電波干渉を最小限に留めることができる。
【００１０】
請求項３の発明は、請求項１に記載の構成において、アンテナ選択手段は、アンテナが自営ＰＨＳ制御信号を受信しない場合は、受信したＤＥＣＴ信号の受信電力が最も小さいアンテナを選択することを特徴とする。
この構成によれば、自営ＰＨＳ信号が無くても、他のＤＥＣＴ機器を考慮して最も干渉し難いアンテナを使用するため、送信レベルを最大限抑制できる。
【００１１】
請求項４の発明は、請求項１乃至３の何れかに記載の構成において、アンテナ選択手段は、複数のアンテナそれぞれの受信電力の大きさを比較するアンテナ選択シーケンスを定期的に実施し、使用するアンテナをその都度選択することをを特徴とする。
この構成によれば、アンテナ選択シーケンスを定期的に実施するため、新たな無線機器が近くに設置された場合でも、それを認識して対応できる。
【発明の効果】
【００１２】
本発明によれば、外部電波の受信レベルが低いアンテナを選択して無線親機との通信に使用するため、無線親機と通信を実施しても周囲の無線機器との電波干渉を最小限に留めることができるし、無線親機との間で通信不能となる状態を削減できる。また、受信レベルの低いアンテナを選択することで、チャンネル数の減少を最小限に留めることができるし、送信レベル自体も抑制でき外部無線機器への影響も削減できる。
【図面の簡単な説明】
【００１３】
【図１】本発明に係るインターホンシステムの一例を示す構成図であり、インターホン親機のみ主要部を回路ブロック図で示している。
【図２】アンテナ選択シーケンスの流れを示すフローチャートである。
【図３】集合住宅インターホンシステムで発生する電波干渉の説明図である。
【発明を実施するための形態】
【００１４】
以下、本発明を具体化した実施の形態を、図面を参照して詳細に説明する。図１は本発明に係るインターホンシステムの一例を示す構成図であり、インターホン親機のみ主要部を回路ブロック図で示している。図１において、１は住戸玄関や集合住宅のエントランスに設置されて居住者を呼び出すためのインターホン子機、２は住戸内に設置されてインターホン子機１からの呼び出しに応答するためのインターホン親機、３はワイヤレスでインターホン親機２と通信してインターホン子機１からの呼び出しを通知し、居住者が携行しながら応答できる無線親機である。
インターホン子機１とインターホン親機２とは伝送線Ｌ１で接続され、無線親機３はインターホン親機２と無線通信を実施、特にＤＥＣＴ通信を実施する。
【００１５】
インターホン親機は、図１に示すように通話するためのマイク２１及びスピーカ２２、インターホン子機１に設けられた図示しないカメラが撮像した映像を表示するモニタ２３、無線親機３と通信するための２つのアンテナ（第１アンテナ２４ａ、第２アンテナ２４ｂ）２４、２つのアンテナ２４ａ，２４ｂを切り替えるアンテナ切替部２５、ＤＥＣＴ通信を実施する無線通信部２６、ＰＨＳ信号やＤＥＣＴ信号の受信デーや設定を記憶する記憶部２７、アンテナ２４の選択制御を実施すると共にインターホン親機２を制御する親機ＣＰＵ２８、インターホン子機１と通信する親機通信ＩＦ２９等を備えている。
第１アンテナ２４ａと第２アンテナ２４ｂとは互いに直交するよう配置され、ここでは第１アンテナ２４ａが垂直方向に配置されて垂直偏波を送受信し、第２アンテナ２４ｂが水平方向に配置されて水平偏波を送受信するよう構成されている。尚、３ａはインターホン親機２と無線通信する無線親機３の通信アンテナである。
【００１６】
上記の如く構成されたインターホンシステムは以下の様に動作する。但し、インターホン子機１からの呼び出し、呼び出しを受けたインターホン親機２或いは無線親機３による呼出通知動作、その後の応答通話動作は従来と同様であるため説明を省略し、ここではインターホン親機２のアンテナ選択動作を具体的に説明する。
２本のアンテナ２４ａ，２４ｂの一方を選択するアンテナ選択シーケンスは、インターホン親機２が待ち受け状態のときにのみ行われ、親機ＣＰＵ２８の制御により実施される。尚、呼び出し等の割り込みが発生した際には動作を停止する。
【００１７】
アンテナ選択シーケンスは、一定時間Ｔ毎（例えば、１時間毎）に実施される。一定時間Ｔが経過したら（Ｓ１でＹｅｓ）、最初に自営ＰＨＳ制御信号の有無を判断する。まず第１アンテナ２４ａが自営ＰＨＳ制御信号を受信しているか判断され（Ｓ３）、受信していたらＲＳＳＩを取得する（Ｓ４）。次に第２アンテナ２４ｂが自営ＰＨＳ制御信号を受信しているか判断され（Ｓ６）、第２アンテナ２４ｂで自営ＰＨＳ制御信号を受信していたら、ＲＳＳＩを取得する（Ｓ７）。
【００１８】
こうして第１アンテナ２４ａ及び第２アンテナ２４ｂの双方からＲＳＳＩ値を取得してＲＳＳＩ値のレベルを比較（Ｓ８）し、小さい方のアンテナ２４を無線親機３との通信に使用するアンテナ２４として固定する（Ｓ９，Ｓ１０）。
また、第１アンテナ２４ａでＰＨＳ制御信号を受信せず（Ｓ３でＮｏ）、第２アンテナ２４ｂでのみ受信したら（Ｓ５でＹｅｓ）、第１アンテナ２４ａに固定（Ｓ１０）し、第１アンテナ２４ａのみＰＨＳ制御信号を受信した場合（Ｓ６でＮｏ）は、第２アンテナ２４ｂに固定する（Ｓ９）。この結果、受信電波の弱い方が選択され、無線親機３との通信に使用される。
【００１９】
第１、第２アンテナ２４ａ，２４ｂ共に自営ＰＨＳ制御信号を受信しなければ（Ｓ５でＮｏ）、次にＤＥＣＴ信号の受信信号を基にアンテナ２４を選択する。まず第１アンテナ２４ａが受信するＤＥＣＴ信号のＲＳＳＩを取得し（Ｓ１１）、その中の最大値を判断基準値とする（Ｓ１２）。次に第２アンテナ２４ｂが受信するＤＥＣＴ信号のＲＳＳＩを取得し（Ｓ１３）、その中の最大値を判断基準値とする（Ｓ１４）。ＤＥＣＴ信号の場合、複数信号の受信が考えられるため受信信号のうち、最大値のＲＳＳＩが基準となる。
【００２０】
こうして入手したＲＳＳＩの最大値同士を比較して（Ｓ１５）、第１アンテナ２４ａのＲＳＳＩが大きければ第２アンテナ２４ｂに固定し（Ｓ１６）、第２アンテナ２４ｂの方が大きければ第１アンテナ２４ａに固定する（Ｓ１７）。こうしてアンテナ２４が選択されたらタイマをリセット（Ｓ１８）して待受状態に戻り、その後一定時間Ｔが経過したらＳ１のステップから制御を再開する。
【００２１】
このように、外部電波の受信レベルが低いアンテナ２４を選択して無線親機３との通信に使用するため、無線親機３と通信を実施しても周囲の無線機器との電波干渉を最小限に留めることができるし、無線親機３との間で通信不能となる状態を削減できる。また、受信レベルの低いアンテナ２４を選択することで、通信チャンネル数の減少を最小限に留めることができるし、送信レベル自体も抑制でき外部無線機器への影響も削減できる。
また、自営ＰＨＳ信号の受信状態を優先して使用するアンテナ２４を選択するため、自営ＰＨＳ信号を使用する機器が周囲にあっても電波干渉を最小限に留めることができる。
更に、自営ＰＨＳ信号が無くても、他のＤＥＣＴ通信する機器を考慮して最も干渉し難いアンテナ２４を使用するため、送信レベルを最大限抑制できる。そして、アンテナ選択シーケンスを定期的に実施するため、新たな無線機器が近くに設置された場合でも、それを認識して対応できる。
【００２２】
尚、上記実施形態ではインターホン親機２に、垂直偏波を送受信する第１アンテナ２４ａと、水平偏波を送受信する第２アンテナ２４ｂの２つのアンテナ２４を設けているが、それぞれ一定の距離を設けて２つずつ設けても良いし、更に多くのアンテナを接続して、何れかを選択しても良い。
また、アンテナ選択シーケンスを開始する待ち時間Ｔをここでは例えば１時間と一定時間としているが、その都度変更してランダムバックオフ時間を加算すると良く、複数のシステムが同時にアンテナ選択シーケンスを実施することを回避できる。
【符号の説明】
【００２３】
１・・インターホン子機、２・・インターホン親機、３・・無線親機、２４・・アンテナ、２５・・アンテナ切替部、２６・・無線通信部、２８・・親機ＣＰＵ（アンテナ選択手段）。
【図１】
0006643933.tif 000002
【図２】
0006643933.tif 000003
【図３】
0006643933.tif 000004